(57)【要約】【課題】紙文書やノートの記述をその場で電子化し、画像表示し、書き込み等をしながら議論できるテーブル型表示装置を提供する。【解決手段】主に天板２１と装置本体である筐体４７とからなるコラボレーション用テーブル等と称されるものである。天板２１は、透明部材に拡散性の優れた透過型スクリーン等のスクリーン部材１１で覆い、筐体４７内部のＰＣ４６の画像や各種合成画像等をプロジェクタ４５で投影する背面投影表示部４９、スクリーン部材１１を設けずに透明のままとして原稿等の画像をＣＣＤカメラ４２で撮影可能としたた周縁部の撮影用透明窓部４８、同じくスクリーン部材１１を設けずに透明として第１上基板２６ａ上のキーボード２５を視認できるようにした操作用透明窓部５０とを有する。【選択図】　　　　図１
2004109402.tif 000002
【特許請求の範囲】
【請求項１】
画像表示部を有するとともに、少なくとも該画像表示部をマーカーペン等を用いて手書き可能な透明部材で形成してなる天板と、前記画像表示部に対して前記天板の下側から画像を投影する投影手段と、前記画像表示部上に描かれた文字や図形、前記画像表示部上に位置する物体等を前記画像表示部を通して撮影する撮像手段とを装置本体内に備えてなることを特徴とするテーブル型表示装置。
【請求項２】
請求項１のテーブル型表示装置において、前記天板が撮影用透明窓部を有し、該撮影用透明窓部上に位置する物体等を該撮影用透明窓部を通して撮影する第２の撮像手段を上記装置本体内に備えてなることを特徴とするテーブル型表示装置。
【請求項３】
請求項１のテーブル型表示装置において、前記天板が撮影用透明窓部を有し、前記撮像手段を、前記画像表示部上に描かれた文字や図形、前記画像表示部上に位置する物体等を前記画像表示部を通して撮影する第１の撮影状態と、前記撮影用透明窓部上に位置する物体等を該撮影用透明窓部を通して撮影する第２の撮影状態とに切り替える切り替え手段を上記装置本体内に備えてなることを特徴とするテーブル型表示装置。
【請求項４】
請求項１ないし３のいずれかのテーブル型表示装置において、前記天板の下方に位置して少なくともキーボード等の操作装置を載置可能な平坦部を上記装置本体に設けてなることを特徴とするテーブル型表示装置。
【請求項５】
請求項４のテーブル型表示装置において、前記天板の前記平坦部対応部位を透明に形成してなることを特徴とするテーブル型表示装置。
【請求項６】
請求項１ないし５のいずれかのテーブル型表示装置において、上記天板が円形で、該天板の略中央部あるいは中央部近傍に上記画像表示部を配し、上記装置本体が円筒形を有し、上記天板を該装置本体と同心に配してなることを特徴とするテーブル型表示装置。
【請求項７】
請求項２ないし５のいずれかのテーブル型表示装置において、上記天板が円形で、該天板の略中央部あるいは中央部近傍に上記画像表示部を、上記天板の周縁側に上記撮影用透明窓部を配し、上記装置本体が円筒形を有し、上記天板を該装置本体と同心に配してなることを特徴とするテーブル型表示装置。
【請求項８】
請求項５のテーブル型表示装置において、上記天板が円形で、該天板の略中央部あるいは中央部近傍に上記画像表示部を、上記天板の周縁側に上記撮影用透明窓部と上記平坦部に対応する透明部位を配し、上記装置本体が円筒形を有し、上記天板を該装置本体と同心に配してなることを特徴とするテーブル型表示装置。
【請求項９】
請求項１ないし８のいずれかのテーブル型表示装置において、前記天板及び前記装置本体とを垂直軸の周りで一体に水平回転可能としてなることを特徴とするテーブル型表示装置。
【発明の詳細な説明】
【０００１】
【発明の属する技術分野】
本発明は、テーブル型表示装置に関する。
【０００２】
【従来の技術及び発明が解決しようとする課題】
数人が表示画面を見ながら討議する場合、表示画面を指で差したり、表示画面上あるいはその近傍の適当な場所に何かを書き込んだりすることが容易な大型の表示装置を用いることが多い。このような場合に用いる表示装置としては、縦置きのものではなく、上方に表示面を有するテーブル型の表示装置が好ましいと考えられる。フロント投影プロジェクタ等の縦置き型の表示装置を用いた討論の場では、基本的には画面を用いて説明する人はほぼ一人に限られてしまうのに対し、テーブル型表示装置では、数人がほぼ等距離で画面を囲むことができ、画面を用いた説明は、討論に参加する全ての人が同様に行え、議論が活発になるためである。
【０００３】
このような用途に用い得る従来のテーブル型表示装置としては、机面上に視認性が良く、省スペースで大画面の表示を行うために、外光抑制のフード等を有する構成とした装置がある（例えば、特許文献１参照）。また、テーブル面にスクリーン面を形成したテーブル型情報端末装置がある（例えば、特許文献２参照）。さらに上方より表示面の指の動きを撮影することにより、キー操作等を行うことが出来る入出力装置（例えば、特許文献３参照）、上方より表示面の手の動きを撮影することにより、表示の移動操作を行うことが出来る投射装置（例えば、特許文献４参照）、対面した人それぞれの位置で見やすい画像を表示できる表示装置（例えば、特許文献５参照）、前面と机面にディスプレイを配した机（例えば、特許文献６参照）等も知られている。
【０００４】
また、書き込み画像を形成できる書込み面を有する透過型スクリーンとカメラで構成される表示装置であって、背面のカメラで書き込み画像を撮影し、書込みを電子化する表示装置もある。
【０００５】
【特許文献１】
特開２０００−１６６６５６号公報
【特許文献２】
特開２０００−２８４８５１号公報
【特許文献３】
特開２０００−２９８５４４号公報
【特許文献４】
特開平１０−１６４４６７号公報
【特許文献５】
特開平１０−２８８９６２号公報
【特許文献６】
特開平８−６２７２２号公報
【０００６】
【発明が解決しようとする課題】
このようなテーブル型表示装置には現状で以下のような問題点がある。
（１）討議の場に事前に資料が準備されておらず、参加者の手元にある紙文書やノートの記述をその場で電子化し、画像として表示させ、書き込み等をしながら議論をしたいことが多い。しかしながら現状では、別の場所にあるスキャナ等でそれら文書等を読み取ってからデータを転送して表示する等の、面倒でかつ議論の流れを止めてしまいがちな作業が必要になっている。
（２）表示面に手書きで何かを書き込むといったことができず、せいぜいタッチパネルを利用して予めプログラムされている動作を行わせる程度である。もちろん、手書きした内容を電子データ化して表示内容と合成すること等はできない。
（３）テーブルの周りを人が囲んでいる状態では、表示内容を正面から見ることができる人は一部（一人か二人）の人だけである。また、画面の操作や書き込み等を行う時は画面を身体の正面に位置させたほうがよいのは当然であるが、そのようなことがしにくい。
（４）テーブル面に自分の資料等を置こうとすると、テーブル面上のスペース的な余裕がなくなり、キーボード等の操作装置が置けなくなる。
（５）テーブル面の面積、特に長さが大きくなりがちである。そのため、表示装置を部屋から部屋へ移動させたくとも、出入口に引っかかって通しにくくなる。
その一方、テーブル面を小さくすると画面も小さくしなければならず、視認性が減少する。
【０００７】
上述した従来の技術ではこれらの問題について考慮されておらず、もちろんなんらの解決手段も提供されていない。
【０００８】
本発明は上記従来の問題点にかんがみてなしたもので、手元にある紙文書やノートの記述をその場で電子化し、画像として表示させ、書き込み等をしながら議論できるようにしたテーブル型表示装置を提供することを目的とする。
【０００９】
また本発明は、手書き等で書き込んだ画像や、本等の資料、指や手の影等を撮影でき、それらの画像を電子データ化したり、指や手の位置から表示画像を操作することを可能としたテーブル型表示装置を提供することを目的とする。
【００１０】
また本発明は、テーブルの周りを囲んでいる人達が、簡単に表示内容を正面から見ることができるようにして操作性を向上させたテーブル型表示装置を提供することを目的とする。
【００１１】
また本発明は、キーボード等の操作装置をテーブル面上におかなくて済むテーブル型表示装置を提供することを目的とする。
【００１２】
さらに本発明は、テーブル面の長さがあまり大きくなくて済み、移動の際に出入口等が障害にならないようにしたテーブル型表示装置を提供することを目的とする。
【００１３】
【課題を解決するための手段】
本発明の請求項１に係るテーブル型表示装置は、上記目的を達成するために、画像表示部を有するとともに、少なくとも該画像表示部をマーカーペン等を用いて手書き可能な透明部材で形成してなる天板と、前記画像表示部に対して前記天板の下側から画像を投影する投影手段と、前記画像表示部上に描かれた文字や図形、前記画像表示部上に位置する物体等を前記画像表示部を通して撮影する撮像手段とを装置本体内に備えてなることを特徴とする。
なお本明細書においていう透明にはいわゆる半透明等と称する透明度が低いものを含み、透明な部材とは、その部材を通して何も視認することができないいわゆる不透明な部材以外のものを指す。
【００１４】
同請求項２に係るものは、上記目的を達成するために、請求項１のテーブル型表示装置において、前記天板が撮影用透明窓部を有し、該撮影用透明窓部上に位置する物体等を該撮影用透明窓部を通して撮影する第２の撮像手段を上記装置本体内に備えてなることを特徴とする。
【００１５】
同請求項３に係るものは、上記目的を達成するために、請求項１のテーブル型表示装置において、前記天板が撮影用透明窓部を有し、前記撮像手段を、前記画像表示部上に描かれた文字や図形、前記画像表示部上に位置する物体等を前記画像表示部を通して撮影する第１の撮影状態と、前記撮影用透明窓部上に位置する物体等を該撮影用透明窓部を通して撮影する第２の撮影状態とに切り替える切り替え手段を上記装置本体内に備えてなることを特徴とする。
【００１６】
同請求項４に係るものは、上記目的を達成するために、請求項１ないし３のいずれかのテーブル型表示装置において、前記天板の下方に位置して少なくともキーボード等の操作装置を載置可能な平坦部を上記装置本体に設けてなることを特徴とする。
【００１７】
同請求項５に係るものは、上記目的を達成するために、請求項４のテーブル型表示装置において、前記天板の前記平坦部対応部位を透明に形成してなることを特徴とする。
【００１８】
同請求項６に係るものは、上記目的を達成するために、請求項１ないし５のいずれかのテーブル型表示装置において、上記天板が円形で、該天板の略中央部あるいは中央部近傍に上記画像表示部を配し、上記装置本体が円筒形を有し、上記天板を該装置本体と同心に配してなることを特徴とする。
【００１９】
同請求項７に係るものは、上記目的を達成するために、請求項２ないし５のいずれかのテーブル型表示装置において、上記天板が円形で、該天板の略中央部あるいは中央部近傍に上記画像表示部を、上記天板の周縁側に上記撮影用透明窓部を配し、上記装置本体が円筒形を有し、上記天板を該装置本体と同心に配してなることを特徴とする。
【００２０】
同請求項８に係るものは、上記目的を達成するために、請求項５のテーブル型表示装置において、上記天板が円形で、該天板の略中央部あるいは中央部近傍に上記画像表示部を、上記天板の周縁側に上記撮影用透明窓部と上記平坦部に対応する透明部位を配し、上記装置本体が円筒形を有し、上記天板を該装置本体と同心に配してなることを特徴とする。
【００２１】
同請求項９に係るものは、上記目的を達成するために、請求項１ないし８のいずれかのテーブル型表示装置において、前記天板及び前記装置本体とを垂直軸の周りで一体に水平回転可能としてなることを特徴とする。
【００２２】
【発明の実施の形態】
以下本発明の実施の形態を図面を参照して説明する。
図１は本発明に係るテーブル型表示装置の第１実施形態を示す斜視図（Ａ）と概略断面図（Ｂ）、図２は同機能ブロック図である。本実施形態の装置は、画像表示機能と画像キャプチャリング機能を兼ね備えたいわゆるコラボレーションテーブルあるいはコラボレーション用テーブル等と称されるものであり、構造的には主に天板２１と装置本体である筐体４７とからなる。天板２１は円板形で、筐体４７は円筒形を有し、これらを同心に組み合わせて構成し、テーブル面をあまり大きくしなくても周囲に複数の人々が集まることができるようにしてある。
【００２３】
天板２１は、例えばポリカーボネートやガラス等の透明部材を基材とし、拡散性の優れた透過型スクリーン等のスクリーン部材１１でほぼ全面を覆ってある。そして略中央部あるいは中央部近傍に背面投影表示部４９を設け、周縁部の一部にスクリーン部材１１を設けずに透明のままとして撮影用透明窓部４８を形成し、撮影用透明窓部４８とは反対側の周縁部の一部もスクリーン部材１１を設けずに透明のままとして操作用透明窓部５０としてある。また天板２１の表面には、テフロン（登録商標）加工等を施してホワイトボード用ドライマーカー等で文字や図形等を書き込めるようにすることが好ましい。
【００２４】
さらに天板２１は、周縁が筐体４７より外側へ突出するように大径のものとしてあり、操作用透明窓部５０の下に位置する部位で筐体４７に、キーボード２５やマウス（図示せず）等の操作手段を置くための第１上基板２６ａを設けてある。このため、天板２１越しに第１上基板２６ａ上のキーボード２５等を見ることができる。筐体４７の半径方向で第１上基板２６ａと反対側には第２上基板２６ｂが設けてあり、両基板部２６ａ、２６ｂともに筐体４７を回転、移動させるためのハンドル２４が突設してある。ハンドル２４は、後述するベース基板４０より上の部分全体を回転させるときに掴んで操作するためのものである。なお図示の実施形態のように第１上基板２６ａと第２上基板２６ｂを別々に設けずに、筐体４７の全周を取り巻く環状に設けてもよい。このようにすると、本装置の周囲を取り巻く人々が書類や持ち物を置くスペースができて都合がよい。また第１上基板２６ａや第２上基板２６ｂに、ペン置き、マーカー置き等を設けておくと、使用しないときに天板２１の上に置いたりせずに直ぐにしまえて便利がよい。ペン置き、マーカー置き等としては、くぼみや溝等、特に断面が三角形のくぼみや溝等が取り出しやすく、また装置を回転させるときに簡単には落ちないようにしやすくて便利である。
【００２５】
筐体４７は、下基板３６とその上側のベース基板４０とで底面部を構成し、内部に外光が入らないようにベース基板４０に固定した側板２８で側面を覆って遮光し、下基板３６とベース基板４０の中心を中空回転軸３４が貫通している。天板２１は側板２８の上にねじ４４によって固定する。側板２８は、筐体４７の周方向で複数個に分割すると、筐体４７の内部点検等に便利であるし、部分的に色を変えたりして意匠的に興趣に富んだものとすることもできる。また側板２８の少なくとも外表面を軟らかい素材で形成すると、本装置の周囲に集まった人々が脚をぶつけたりして怪我をしたりする等の事故を防ぐことができて好ましい。
【００２６】
中空回転軸３４はねじ３３でベース基板４０に固定してあり、抜け止め３５を下基板３６の下方に設けて抜け止めしてある。またベース基板４０と下基板３６の間には、ボールベアリング３１と、ボールベアリング３１が所定の位置から外れないようにするために下基板３６に固定したボールガイド３２が設けてある。そのため、下基板３６の上をベース基板４０が滑らかに回転できるようになっている。そのため本実施形態装置の周囲の人々は、自分が向けたい方向、例えば背面投影表示部４９上にマーカー等で書き込みをしたい場合には背面投影表示部４９が自分の正面に来る方向へ簡単に回転させることが可能である。
【００２７】
また筐体４７の下基板３６には、装置全体を移動可能とするためにロック付キャスタ３７が複数個設けてある。したがって本実施形態装置は、ロック付キャスタ３７によって移動させやすいだけでなく、既述のように円板形の天板２１と円筒形の筐体４７を同心に組み合わせてあまりサイズを大きくしなくても済むように構成してあるため、多くの場合、移動の際に出入口等が障害にならない。
【００２８】
ただし、移動等の際に装置重量をできるだけ軽くし、また外形サイズをできる限り小さくしたい場合には、ねじ４４を抜いて図５に示すように天板２１を取り外せる。図中４４ａはねじ穴である。また必要があれば側板２８も取り外せる。なお、移動の際に下基板３６より上の部分が回転すると、移動が不便になるので、ベース基板４０の上から下基板３６に回転止めピン３８を挿入することにより、ベース基板４０と下基板３６を固定して回転できないようにすることができる。
【００２９】
なお移動だけでなく、下基板３６より上の部分が回転する場合、中空回転軸３４を通して外部に導出している電源コード３０がねじれてしまうおそれがある。そこで、ベース基板４０に固定した一回転防止ストッパ２９と下基板３６に固定した固定ストッパ３９とを、筐体４７がほぼ一回転すると接触するように設け、一回転以上は筐体４７が回転できないようにしてある（図５参照）。
【００３０】
筐体４７の内部にはプロジェクタ４５が設けてあり、上述のようにスクリーン部材１１で覆った部分の一部である背面投影表示部４９がプロジェクタ４５によって画像が投影される部位となっている。また筐体４７の内部には、プロジェクタ４５の投光を背面投影表示部４９へ折り返す大ミラー２７、大ミラー２７を通して背面投影表示部４９を裏から撮影するＣＣＤカメラ４２、ＣＣＤカメラ４２の撮影光路を変更して撮影用透明窓部４８を撮影できるようにする小ミラー４３とミラー回転モータ２３、撮影用透明窓部４８を裏から照明する蛍光灯２２、プロジェクタ４５の投光を遮るためのシャッタ４１、投光用画像出力や制御信号入出力を行うパーソナルコンピュータ（以下単にＰＣという。）４６が設けてある。各機器へ電力を供給する電源コード３０は、既述のように中空回転軸３４の中を通して各機器へと接続してある。
【００３１】
本実施形態装置は、基本的にはスクリーン部材１１、具体的には背面投影表示部４９にＰＣ４６の表示画面を映し出すものである。すなわちＰＣ４６の表示画面を、プロジェクタ４５から射出し、大ミラー２７を介して投光して背面投影用表示部４９で映し出す。またＣＣＤカメラ４２は、撮影用透明窓部４８の方向を筐体４７の内部から撮影し、その撮影画像をＰＣ４６へ送り、上記と同様にプロジェクタ４５で背面投影表示部４９に映し出す。したがって本実施形態装置の周辺に居る人々はこのような画像を天板２１の周囲から見ることができる。
【００３２】
蛍光灯２２は、筐体４７の内部から撮影用窓部４８を照明するよう配置してあり、撮影用窓部４８上に置いた書類やブック原稿等だけでなく、撮影用窓部４８上に置いたり、離れていても撮影用窓部４８上に位置する立体物等の被写体を照らすことができ、これによってＣＣＤカメラ４２が良好な画像を得ることができる。具体的には、操作スイッチ５１から窓部撮影開始信号がＰＣ４６に入力すると、蛍光灯２２が点灯し、ミラー回転モータ２３が回転して小ミラー４３が回転し、それによってＣＣＤカメラ４２の撮影光軸が撮影用窓部４８の方を向き、その方向にある被写体の画像を撮影し、ＰＣ４６へその画像を転送する。ＰＣ４６は、転送された画像をプロジェクタ４５で投影し、背面投影用表示部４９で表示させる。もちろんＰＣ４６の表示画面を表示せずに撮影用窓部４８を用いて撮影して得た画像のみを表示させてもよい。
【００３３】
またＣＣＤカメラ４２は、背面投影表示部４９上にマーカー等で描かれた文字、図形、あるいは背面投影表示部４９上に置いたり、離れていても撮影用窓部４８上に位置する立体物等の被写体をも撮影できるようになっている。ただし、プロジェクタ４５が背面投影表示部４９に投光したままでは、その像や反射成分がＣＣＤカメラ４２に到達するため、加筆画像がそれらに埋もれて上手く撮影できないので、シャッタ４１を閉じてプロジェクタ４５の投光画像が背面投影表示部４９に達しないようにしてある。
【００３４】
すなわち、操作スイッチ５１からスクリーン撮影開始信号がＰＣ４６に入力すると、まずシャッタ４１が閉じ、ミラー回転モータ２３が回転して小ミラー４３が回転し、ＣＣＤカメラ４２の撮影光軸が大ミラー２７の方を向き、背面投影用表示部４９上の例えば加筆画像を撮影し、ＰＣ４６へその画像を転送する。ＰＣ４６は、例えば背面投影表示部４９に投影している画面とその撮影画像を合成し、プロジェクタ４５で投影し、背面投影用表示部４９に表示させる。例えば図３に示すように、背面投影表示部４９に上に手書きで書き込んだ画像６０がある状態（図３Ａ）から上述のようにシャッタ４１を閉じて撮影し、この画像（図３Ｂ）を、シャッタ４１をＰＣ４６の一つのウインドウとして、他のアプリケーション画面にはめ込む形で合成して背面投影表示部４９に表示したり、撮影画像だけを背面投影表示部４９に拡大表示したり、図３（Ｃ）に示す合成表示内容をＰＣ４６がメモリ等に電子データとして記憶することもできる。なお図３中の手書きで書き込んだ画像６０以外の部分はＰＣ４６の表示画像６１である。
【００３５】
また本実施形態では、例えば図４に示すように、撮影用窓部４８上に置いた原稿９の画像を撮影し、これをＰＣ４６の一つのウインドウとして、他のアプリケーション画面にはめ込む形で合成して背面投影表示部４９に表示したり（図４Ｂ）、あるいは原稿９の撮影画像だけを背面投影表示部４９に拡大表示したり（図４Ｃ）することができる。もちろん図４（Ｂ）に示す合成表示内容をＰＣ４６がメモリ等に電子データとして記憶することもできる。なお図４（Ｂ）中の９ａは原稿９の撮影画像の合成画像を示す。また図４（Ｃ）の９ｂは原稿９の撮影画像の拡大画像を示す。
【００３６】
図６は本発明に係るテーブル型表示装置の第２実施形態を示す概略斜視図（Ａ）と機能ブロック図（Ｂ）である。本実施形態の装置は、先の実施形態装置からＣＣＤカメラ４２が背面投影表示部４９上に描かれた文字、図形等を撮影する機能を省いたものである。すなわち、ＣＣＤカメラ４２は撮影用透明窓部４８の方向を筐体４７の内部から撮影し、その画像をＰＣ４６へ送信し、プロジェクタ４５で背面投影表示部４９に表示させる。その他の構成については第１実施形態と同様であるので説明を省略する。
【００３７】
本実施形態装置の動作をブロック図（図６Ｂ）で説明すると、操作スイッチ５１から窓部撮影開始信号がＰＣ４６に入力すると、蛍光灯２２が点灯し、ＣＣＤカメラ４２が画像を撮影し、ＰＣ４６へその画像を転送する。ＰＣ４６は、転送された画像をプロジェクタ４５で投影し、背面投影表示部４９に表示させる。その他の動作については第１実施形態とほぼ同様である。
【００３８】
図７は本発明に係るテーブル型表示装置の第３実施形態を示す概略斜視図（Ａ）と機能ブロック図（Ｂ）である。本実施形態の装置は、ＣＣＤカメラ４２が背面投影表示部４９上に描かれた文字、図形等を撮影する機能を省き、同機能を他のＣＣＤカメラ１０で実現するように構成したものである。すなわち、第１ＣＣＤカメラ４２は、撮影用透明窓部４８の方向を筐体４７の内部から撮影し、その画像をＰＣ４６へ送信し、プロジェクタ４５で背面投影表示部４９に表示させる。その他の構成については第１実施形態と同様であるので説明を省略する。
【００３９】
本実施形態装置の動作をブロック図（図７Ｂ）で説明すると、操作スイッチ５１から窓部撮影開始信号がＰＣ４６に入力すると、蛍光灯２２が点灯し、第１ＣＣＤカメラ４２が画像を撮影し、ＰＣ４６へその画像を転送する。ＰＣ４６は、転送された画像をプロジェクタ４５で投影し、背面投影表示部４９に表示させる。また、操作スイッチ５１からスクリーン撮影開始信号がＰＣ４６に入力すると、まずシャッタ４１が閉じ、第２ＣＣＤカメラ１０が画像を撮影し、ＰＣ４６へその画像を転送する。ＰＣ４６は、現在投影している画面とその画像を合成して、プロジェクタ４５で投影し、背面投影表示部４９に表示させる。
【００４０】
図８は本発明に係るテーブル型表示装置の第４実施形態を示す概略斜視図（Ａ）と機能ブロック図（Ｂ）である。本実施形態の装置は、ＣＣＤカメラ４２の撮影光軸の向きを、ミラー回転モータ２３と小ミラー４３で変えるのではなく、回転モータ１３を用いて可変させるようにしたものである。
【００４１】
本実施形態装置の動作をブロック図（図８Ｂ）で説明すると、操作スイッチ５１から窓部撮影開始信号がＰＣ４６に入力すると、蛍光灯２２が点灯し、回転モータ１３が回転し、ＣＣＤカメラ４２の撮影光軸を撮影用透明窓部４８の方を向け、その方向にある被写体の画像を撮影し、ＰＣ４６へその画像を転送する。ＰＣ４６は、転送された画像をプロジェクタ４５で投影し、背面投影表示部４９で表示させる。また、操作スイッチ５１からスクリーン撮影開始信号がＰＣ４６に入力すると、シャッタ４１が閉じ、回転モータ１３が回転し、ＣＣＤカメラ４２の撮影光軸を大ミラー２７の方へ向け、背面投影用表示部４９上の加筆画像を撮影し、ＰＣ４６へその画像を転送する。ＰＣ４６は、現在投影している画面とその画像を合成して、プロジェクタ４５で投影し、背面投影用表示部４９に表示させる。
【００４２】
なお当然ながら、周囲に集まれる人数を考慮してテーブル面の大きさ、すなわち天板２１の直径を決めればよい。例えば２、３人の人が集まれる程度のものであれば、直径は数十ｃｍ以下で十分であろう。もちろん、天板２１の直径が大きければ周囲に集まれる人数も増えるが、全員が平等に背面投影表示部４９等に対して書き込み等のアクセスを行えることが望ましいと考えられるので、使用目的、使用形態等とも併せて考慮して天板２１の直径を決定することが好ましい。
【００４３】
【発明の効果】
本発明に係るテーブル型表示装置は、以上説明してきたように、画像表示部に対してマーカーペン等を用いて手書き可能なため、手書き等で書き込んだ画像や、本等の資料、指や手の影等をその場で電子データ化でき、しかも画像として表示させ、さらに書き込み等をしながら周囲に集まった人々が議論したり、話し合ったりすることができるという効果がある。
【００４４】
請求項４に係るテーブル型表示装置は、以上説明してきたように、天板の下方にキーボード等の操作装置を置けるので、上記共通の効果に加え、テーブル面となる天板上面が広く使えるようになるという効果がある。
【００４５】
請求項５に係るテーブル型表示装置は、以上説明してきたように、天板の透明部分越しに操作装置を視認できるので、請求項４の装置と共通の効果に加え、操作性がよくなるという効果がある。
【００４６】
請求項６ないし８に係るテーブル型表示装置は、以上説明してきたように、天板が円形で、装置本体が円筒形なので、各請求項の装置と共通の効果に加え、テーブル面をあまり大きくしなくても周囲に人が集まりやすくなるという効果がある。
【００４７】
請求項９に係るテーブル型表示装置は、以上説明してきたように、天板と装置本体とを一体に水平回転可能とすることで、各請求項の装置と共通の効果に加え、全員がテーブル面に対してほぼ平等にアクセスできるという効果がある。
【図面の簡単な説明】
【図１】本発明に係るテーブル型表示装置の第１実施形態を示す斜視図（Ａ）と概略断面図（Ｂ）である。
【図２】同機能ブロック図である。
【図３】同手書き画像表示、合成例を示す図である。
【図４】同原稿画像撮影、表示、合成例を示す図である。
【図５】天板の分解構造を示す斜視図（Ａ）と回転時のストップ動作を示す平面図（Ｂ）である。
【図６】本発明に係るテーブル型表示装置の第２実施形態を示す概略斜視図（Ａ）と機能ブロック図（Ｂ）である。
【図７】本発明に係るテーブル型表示装置の第３実施形態を示す概略斜視図（Ａ）と機能ブロック図（Ｂ）である。
【図８】本発明に係るテーブル型表示装置の第４実施形態を示す概略斜視図（Ａ）と機能ブロック図（Ｂ）である。
【符号の説明】
９　原稿
９ａ　原稿の撮影画像
９ｂ　原稿の撮影画像の拡大画像
１０　ＣＣＤカメラ
１１スクリーン部材
１３　回転モータ
２１天板
２２蛍光灯
２３ミラー回転モータ
２４ハンドル
２５キーボード
２６ａ第１上基板
２６ｂ第２上基板
２７大ミラー
２８側板
２９一回転防止ストッパ
３０電源コード
３１ボールベアリング
３２ボールガイド
３３ねじ
３４中空回転軸
３５抜け止め
３６下基板
３７ロック付キャスタ
３８回転止めピン
３９固定ストッパ
４０ベース基板
４１シャッタ
４２ＣＣＤカメラ
４３小ミラー
４４ねじ
４４ａはねじ穴
４５プロジェクタ
４６パーソナルコンピュータ
４７筐体
４９背面投影表示部
４８撮影用透明窓部
５０操作用透明窓部
５１操作スイッチ
６０手書きで書き込んだ画像
６１パーソナルコンピュータの表示画像
【図１】
2004109402.tif 000003
【図２】
2004109402.tif 000004
【図３】
2004109402.tif 000005
【図４】
2004109402.tif 000006
【図５】
2004109402.tif 000007
【図６】
2004109402.tif 000008
【図７】
2004109402.tif 000009
【図８】
2004109402.tif 000010